(57)【要約】【課題】水はけを調節する排水構造と、軽量化、さらに、外観の美しさと、土壌が水に浸かることを防ぐことを兼ね備える庭園ユニットを提供する。【解決手段】庭園ユニットのボックスケース底面（４）に水勾配を形成し、前記ボックスケース（１）内に、中身が空洞の立体ボックス（１２）を設置し、さらにボックスケースの連結壁面（３）は外周壁面（２）よりも低く形成し、外周壁面（３）には一定の高さにおいてオーバーフロー（１４）を形成する。【選択図】図２
2006191838.tif 000002
【特許請求の範囲】
【請求項１】
バルコニーやベランダ、屋上において、庭園や菜園、畑などの土壌を入れる箱状のボックスケース（１）を単体若しくは組み合わせて設置し、ボックスケースの底面（４）には水勾配を設け、ボックスケースの水下側側面と底面との交差部に排水口（７）を設けることを特徴とするユニット式庭園。
【請求項２】
前記ユニット式庭園の、ボックスケース内において立体的な庭園を造作する際に、中身が空洞の立体ボックス（１２）を設置することを特徴とする請求項１に記載のユニット式庭園。
【請求項３】
前記ユニット式庭園は、各ボックスケースの連結する連結壁面（３）が、ユニット式庭園の外周壁面（２）よりも高さを低く形成されることを特徴とする請求項１又は請求項２に記載のユニット式庭園。
【請求項４】
前記ユニット式庭園は、ボックスケースの内部に防根シート（１５）を敷設し、各ボックスケースの連結壁面（３）を、適宜、連結具を用いて連結した後に、重ねて更に防根シート（１５´）で覆うことで、ボックスケースを連結することを特徴とする請求項１乃至請求項３のいずれかに記載のユニット式庭園組立セット。
【請求項５】
前記ユニット式庭園は、ボックスケースの外周壁面（２）に、ボックスケース（１）内の水位が上がった際に、水を排出するオーバーフロー（１４）を設置することを特徴とする請求項１乃至請求項４のいずれかに記載のユニット式庭園。
【発明の詳細な説明】
【技術分野】
【０００１】
本発明は、バルコニーやベランダ、屋上に設置する庭園ユニットとその組立方法に関わるものである。
【背景技術】
【０００２】
住宅などにおいても高層化がみられる現代において、ベランダやバルコニー、屋上などのスペースを菜園や庭園として活用する技術や、都市部のヒートアイランド現象緩和の対策として屋上緑化を利用する技術などが開示されている。
【０００３】
従来技術（特開２００４−４９１５６号公報「以下先行特許１」）では、排水の構造として、箱状のユニットの最下層を流水性の良い土壌とし、各ユニットの側面と側面を排水口で連結し、排水口を通して排水する技術が開示されているが、土壌の水はけの性質による加減や対応ができない問題点がある。
【０００４】
箱状のユニットにおいて、先行特許１では、真砂土、畑土、砂土、鹿沼土、パーライト、バーク堆肥、ピートモスなどの軽量の混合土壌とすることによる軽量化の技術を開示しているが、庭園そのものを軽量化するという技術は開示されていない。そのことにより、先行特許１に係るユニット式庭園では、建築の荷重制限により、立体的な庭園の設計の自由度が拘束されるという問題点がある。
【０００５】
箱状のユニットにおいて、先行特許１では、庭園の形状の自由度を高めるための、側面の高さを部分的に変え、傾斜面を表現するという技術は開示されているが、庭園の鑑賞の際に、各ユニットの連結面である側壁が庭園表面に影響し、眼障りとなる問題点がある。
【０００６】
箱状のユニットの連結方法として、先行特許１では、金属製の連結器具を使用して、隣接する容器を密着固定し目障りな隙間が生じないようにしているが、このような連結方法では、隙間から土や水、根などの浸入の可能性があるという問題点がある。
【０００７】
箱状のユニットの外周壁面において、先行特許１では、形状の自由度を考慮して側面の高さを部分的に変えるという技術を開示しているが、排水口からの排水ではまかなえないような大雨などの急激な水量の増加に対応することができずに、土壌が水に浸かってしまうという問題点がある。
【特許文献１】特開２００４−４９１５６号公報
【発明の開示】
【発明が解決しようとする課題】
【０００８】
本発明は、上記した実情と問題点を受けて、ユニット式庭園において、ボックスケースに水はけを調節する排水構造を持たせ、建物の荷重制限に対応する軽量化を行う。また、外観に各ユニットの連結面が影響を与えて眼障りとなることのない、連結面から水や根の浸入のないユニット式庭園を提供するものである。さらに、水量の増加などにも対応するユニット式庭園を提供するものである。
【課題を解決するための手段】
【０００９】
上記問題点を解決するために、本件発明の請求項１のユニット式庭園は、ボックスケースの底面に植栽に適する水はけとする水勾配を設けることで、水下側の側面と底面との交差部に設けた排水口から、余分な水を排水することを特徴とする。
【００１０】
本発明の請求項２のユニット式庭園は、立体的な庭園を造作する際にボックスケース内に中身が空洞の立体ボックスを設置することを特徴とする。
【００１１】
本発明の請求項３のユニット式庭園は、ボックスケースの連結する側面の壁を、外周面の壁面よりも低く設置することを特徴とする。
【００１２】
本発明の請求項４のユニット式庭園は、ボックスケースの内部に防根シートを敷設し、さらにボックスケースの連結する壁面を二重に防根シートで覆うことでボックスケースを連結することを特徴とする。
【００１３】
本発明の請求項５のユニット式庭園は、ボックスケースの外周壁面に、一定の高さにおいて水を排出するオーバーフローを形成することを特徴とする。
【発明の効果】
【００１４】
請求項１の発明によれば、庭園や菜園、畑を造作するためのボックスケースの底面に、水勾配を設け、水下側のボックスケース壁面と底面の交差部に排水口を設けることで、水勾配を調節し、ボックスケース内の土壌を、植栽に適する水はけ具合に対応させるという効果を生ずる。
【００１５】
請求項２の発明によれば、ボックスケース内に中身が空洞の立体ボックスを設置することで、土壌の軽量化という手法よりも、大幅に重量を軽量化し、建築物の荷重制限に対応しながらも設計の自由度を向上させる効果を生ずる
【００１６】
請求項３の発明によれば、ボックスケースの連結面である側壁を、外周面の壁面よりも低く設置することで、鑑賞、景観上、眼障りとならない効果を生ずる。
【００１７】
請求項４の発明によれば、ボックスケースの内部に防根シートを敷設し、さらにボックスケースの連結面を二重に防根シートで覆うことで、連結面からの水や、根の浸入を防ぐ効果を生ずる。
【００１８】
請求項５の発明によれば、ボックスケース外周壁面の一定の高さにおいて、オーバーフローを設置することで、大雨などによる急激な水量の変化に対応して、ボックスケース内の土壌が水に浸かることを防ぐ効果を生ずる。
【発明を実施するための最良の形態】
【００１９】
以下、本発明の実施例について図面を参照しながら説明する。
図１、図２、および図３において、（１）はボックスケースであり、このボックスケース（１）は、有底状のボックスで、外周壁面（２）と、連結壁面（３）と、底面（４）とで構成されている。このボックスケースは、ベランダや、バルコニー、屋上などの床面（１６）に載置され、外周壁面（２）にはオーバーフロー（１４）が、底面（４）にはボックスケース（１）を載置する床面の水勾配と水上、水下を合わせた水勾配が形成されている。
【００２０】
このボックスケース（１）内には、土壌（５）を投入し、ボックスケースの内面は、防根シート（１５）が敷設されており、連結面（３）を二重に防根シート（１５´）で覆うことで、水や根が連結壁面に生ずるわずかな隙間から床面（１６）に浸入することを防いでいる。そしてこの土壌内には、植物を植え、植物に適する土質の土壌をボックスケース（１）ごとに変えて投入することができる。なお、必要に応じて、２以上のボックスケース（１）を各々の連結壁面（３）において、図５、図６に示すような適切な連結具によって連接することができる。（例えば、図５に示す防根シート（１５´）の他に、ステンレス製の連結具（２９）であってもよい。）前記ボックスケース（１）本体の水下側の外周面と底面（４）との交差部における防根シート（１５）には、少なくとも一箇所に排水口（７´）が、ボックスケース（１）には排水口（７）が形成されており、土壌内を透過した水がこの排水口（７）、（７´）を通してボックスケース（１）外に排水される。この排水口（７）、（７´）における連通孔は一本だけではなく、排水効率を向上するために、多数の通孔を設けてもよい。ボックスケース外に排出された水は、図７、図８に示すバルコニーやベランダ、屋上に既設される排水溝（１０）から流出する。
【００２１】
なお、上記排水口の土壌による排水口詰まりを防ぐために、骨材（９）を排水口（７）の周辺に配置するか、または網シート（８）を排水口（７）、（７´）に重ねるようにして設置するとよい。
【００２２】
さらに、ボックスケース（１）の材質を多孔質体や合成樹脂材や材などで構成してもよい。またボックスケース（１）の形状は、直線や長方形などの形状に限定されるものではなく、外周壁面（２）、連結壁面（３）、および底面（４）を庭園や菜園、畑の形状に合わせて曲線や円形適宜形成してもよい。
【００２３】
そしてこれらのボックスケース（１）が、バルコニーやベランダ、屋上などの床面（１６）に載置されるが、本発明においては、ボックスケース（１）の底面に形成した水勾配により、透過した水がスムーズに排水口（７）、（７´）へ集まり、ボックス外に排水される。
【００２４】
なお、水勾配の形成方法は、ボックスケース（１）の底面（４）に傾斜を形成する他に、ボックスケース（１）を傾斜板を介して載置するものであってもよい。水勾配の勾配角度は、ボックスケース内の植栽に適する水はけの土質にするために、調節して適宜設定する。
【００２５】
また、このボックスケース（１）の外周壁面（２）に、オーバーフローとして、土壌が大雨などの急激な水量の増加により水に浸かってしまわないように一定の高さにおいて、適宜形成する。オーバーフローの形状は、外周壁面（２）を壁面上部から欠けこむ形状のものの他に、外周壁面（２）に孔を形成し、排水パイプを通して設置する形状のものであってもよい。
【００２６】
図４、図７および図８において、（１７）はベランダの手摺であり、（１０）はベランダの隅部に既設された排水溝で、（１１）はベランダに出入りする開口である。また、図４では、庭園としてユニット式庭園を使用する場合の、設置物として植木（１９）や、遣水（２４）、蹲（２５）、竹（２１）、芝生（２２）、玉砂利（２６）、飛び石（２７）、竿（２０）、簾（２３）、隣接するベランダやバルコニーを隔てる隔て壁（２８）などを例に挙げて図示している。
【００２７】
次にボックスケース（１）同士の連結面（３）、（３）について説明する。連結面（３）、（３）は、土壌（５）によって埋没されるので、土壌表面の形状に影響を与えることがなく、外観上、眼障りとならない。また連結面（３）、（３）は、ボックスケースの内面に敷設した防根シート（１５）と、連結面に敷設する防根シート（１５´）によって二重に覆われているため、水や根がバルコニーやベランダ、屋上床面（１６）に浸入することを防止する。
【００２８】
また一部山型の急勾配を有する庭園においては、図８に示すように前記ボックスケース（１）内に、防根シート（１５）を敷設する前に、中身が空洞（６）の立体ボックス（１２）を配置し、その上から防根シート（１５）を敷設し、ボックスケース（１）の連結面（３）は重ねて防根シート（１５´）で覆う。この立体ボックス（１２）は、高さや形状が限定されるものではなく、造作する形状に合わせて、段状、若しくは山型などの種々の形状となし、また、配置される立体ボックス（１２）の個数も適宜設定される。
【００２９】
なお、前記立体ボックス（１２）には、土壌の崩れや、植栽の倒伏を防ぐためにストッパー（１３）を、立体ボックス（１２）の縁に沿うように、垂直方向に立体ボックス（１２）の側面から適当な長さ突出するように、数箇所設置してもよい。
【００３０】
図９において、排水溝（１０）が既設されていない場合には、排水パイプ（１８）を通して、水をボックスケース外に排出するとよい。
【図面の簡単な説明】
【００３１】
【図１】ボックスケースの実施例を表す斜視図である。（実施例１）
【図２】ボックスケースの実施例を表す斜視図である。（実施例１）
【図３】ユニット式庭園の実施例を表す実施図である。（実施例１）
【図４】ユニット式庭園の実施例を表す実施図である。（実施例１）
【図５】ユニット式庭園の連結部の断面図である。
【図６】ユニット式庭園の連結部の断面図である。
【図７】ユニット式庭園をバルコニーに設置した際の断面図である。
【図８】ユニット式庭園をバルコニーに設置した際のボックスケースと立体ボックスの断面図である。
【図９】ユニット式庭園に排水パイプを設置した際の断面図である。
【符号の説明】
【００３２】
１    ボックスケース本体
２    ボックスケース外周壁面
３    ボックスケース連結壁面
４    ボックスケース底面
５    土壌
６    空洞
７    排水口（ボックスケース）
７´  排水口（防根シート）
８    網シート
９    骨材
１０    排水溝
１１    開口
１２    立体ボックス
１３    ストッパー
１４    オーバーフロー
１５    防根シート
１５´  防根シート（連結部）
１６    設置床面
１７    手摺
１８    排水パイプ
１９    植木
２０    竿
２１    竹
２２    芝生
２３    簾
２４    遣水
２５    蹲
２６    玉砂利
２７    飛石
２８    隔て壁
２９    ステンレス製連結具
【図１】
2006191838.tif 000003
【図２】
2006191838.tif 000004
【図３】
2006191838.tif 000005
【図４】
2006191838.tif 000006
【図５】
2006191838.tif 000007
【図６】
2006191838.tif 000008
【図７】
2006191838.tif 000009
【図８】
2006191838.tif 000010
【図９】
2006191838.tif 000011